【事件の表示】
　特願２００１−１９４７０３「パチンコ機」拒絶査定不服審判事件〔平成１４年　１月２２日出願公開、特開２００２−　１８０５１〕について、次のとおり審決する。
【結　論】
　本件審判の請求は、成り立たない。
【理　由】
【１】本願の手続の経緯 
　本願は平成１３年６月２７日の出願であって、平成１３年１０月２３日付けで拒絶理由が通知され、これに対し平成１３年１２月１４日付けで手続補正され、平成１４年７月１０日付けで拒絶査定がなされ、これに対し平成１４年８月１３日付けで拒絶査定に対する審判請求がなされ、同年９月１２日付けで手続補正がなされたものである。
　　　　
【２】平成１４年９月１２日付けの手続補正についての補正の却下の決定
［補正の却下の決定の結論］
　平成１４年９月１２日付けの手続補正を却下する。
［理由］
１．補正後の本願発明
　平成１４年９月１２日付けの手続補正により、補正された特許請求の範囲の請求項１の発明は、以下のとおりである。
「【請求項１】パチンコ球が始動口内に入球したり、始動ゲート内を通過することに基づいて図柄表示装置に図柄が変動表示される構成のものにおいて、
　パチンコ球が前記始動口内に入球したり、前記始動ゲート内を通過することに基づいて大当りおよび外れの判定動作を行う判定手段と、
　前記判定手段の判定結果に応じた図柄を設定する図柄設定手段と、
　電源の遮断時に前記図柄設定手段の設定結果をバックアップする記憶手段とを備え、
　前記図柄表示装置に図柄が変動表示されている状態で電源が遮断されたときには、電源の復帰時に変動表示を行うことなく電源の遮断直前とは演出が異なるメッセージ画面を経て前記記憶手段の図柄が確定的に表示されることを特徴とするパチンコ機。」（以下、この補正を「本願補正発明」という。）
と補正された。
　　　
２．補正の適否の検討
　前記本願補正発明は、平成１４年９月１２日付けの手続補正で補正された明細書の特許請求の範囲の【請求項１】の「電源の復帰時にメッセージ画面を経て」なる記載事項を、「電源の復帰時に変動表示を行うことなく電源の遮断直前とは演出が異なるメッセージ画面を経て」に限定的に特定するものであって、特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において読み替えて準用する同法第１２６条第４項の規定に適合するか）について以下に検討する。
　　　
３．引用例に記載の発明
（１）原査定の拒絶の理由に引用され、本願の出願日前に頒布された特開平８−２２９２２４号公報（以下、「引用例」という。）には、図面とともに、以下の技術事項が記載されている。
（ア）「図１は、遊技機の一例のパチンコ遊技機の遊技盤面を示す正面図である。遊技盤１の前面に設けられた区画レール２により囲まれた部分に遊技領域３が形成されており、遊技者が遊技ハンドル４４（図１７参照）を操作すればパチンコ玉が１つずつその遊技領域３内に打込まれる。遊技領域３内には、そのほぼ中央位置に、表示状態が変化可能な可変表示装置４が設けられている。そしてその下方には、遊技者にとって有利となる第１の状態と遊技者にとって不利となる第２の状態とに変化可能な可変入賞球装置１０が設けられている。さらに、遊技領域３の右隅には、可変始動口装置１１が設けられており、その可変始動口装置１１に可変表示器１５が設けられている。」（段落【００１０】）
（イ）「遊技領域３内に打込まれたパチンコ玉が通過口１４を通過すれば、その通過玉が通過玉検出器２７により検出され、その検出出力に基づいて可変表示器１５が可変開始される。そしてこの可変表示器１５の可変停止時における表示結果が予め定められた特定の識別情報（たとえば７）になれば可変始動口装置１１の左右１対の可動片１３が開成して打玉が入賞可能な遊技者にとって有利な第１の状態となる。この可変始動口装置１１の始動口１２内にパチンコ玉が入賞すればその入賞玉が始動玉検出器２６により検出され、その検出出力に基づいて前記可変表示装置４の可変表示部５が可変表示される。」（段落【００１１】）
（ウ）「この可変表示装置４は液晶表示装置等から構成されており、たとえば可変表示部５が左可変表示部，中可変表示部，右可変表示部の３つに分割されており、前記始動玉検出器２６の検出出力に基づいてすべての可変表示部が一斉に可変開始して複数種類の識別情報が可変表示され、その後、まず左可変表示部が停止制御され、次に右可変表示部が停止制御され、最後に中可変表示部が停止制御されるように構成されている。そしてすべての可変表示部が停止した段階で或る当りライン上に予め定められた特定の識別情報の組合せ（たとえば７７７）が成立する等して表示結果が予め定められた特定の表示態様になれば、特定遊技状態が発生して前記可変入賞球装置１０の開閉板が開成して打玉が入賞可能な遊技者にとって有利な第１の状態となる大当り状態となる。」（段落【００１２】）
（エ）「図５は、可変表示装置４の可変表示制御に用いられるランダムカウンタを説明するための説明図である。可変表示装置４の可変表示に用いられるランダムカウンタは、ＷＣＲＮＤ１，ＷＣＲＮＤ  Ｌ，ＷＣＲＮＤ  Ｃ，ＷＣＲＮＤ  Ｒ，ＷＣＲＮＤ  ＲＣＨ，ＷＣＲＮＤ  ＰＡＵＳＥ，ＷＣＲＮＤ  ＡＣＴの７種類である。」（段落【００２２】）
（オ）「ＷＣＲＮＤ１は、可変表示装置４の可変停止時の表示結果を大当りを発生させるための表示結果にするか否かを事前決定するために用いられる。・・」（段落【００２３】）
（カ）「ＷＣＲＮＤ  Ｌは、可変表示部５の左可変表示部に停止表示される左図柄の予定停止図柄を事前決定するために用いられる。・・」（段落【００２４】）
（キ）「ＷＣＲＮＤ  Ｃは、可変表示部５の中可変表示部に表示される中図柄の予定停止図柄を事前決定するために用いられる。・・」（段落【００２５】）
（ク）「ＷＣＲＮＤ  Ｒは、可変表示部５の右可変表示部に表示される右図柄の予定停止図柄を事前決定するために用いられる。・・」（段落【００２６】）
（ケ）「図６は可変表示装置４の表示制御のためのフローチャートである。まずＷＣＲＮＤ１の値を抽出し、その抽出した値が「７」のときには大当りを発生させることが事前決定される。そしてＷＣＲＮＤ  Ｌのデータの値を抽出して、その抽出した値に相当する図柄を左，中，右図柄に使用して、その左，中，右図柄が停止表示されるように各可変表示部を表示制御する。その結果、左，中，右図柄は同じ種類の図柄すなわちぞろめの図柄となり、大当りを発生させるための特定の表示態様の組合せが可変表示部５により表示されることとなる。」（段落【００３０】）
（コ）「一方、ＷＣＲＮＤ１の抽出値が「７」以外のときにははずれが事前決定され、その場合には、ＷＣＲＮＤ  Ｌ，Ｃ，Ｒの各値を抽出し、その各抽出値を左，中，右図柄用の予定停止図柄として使用する。その結果、各予定停止図柄が各可変表示部に停止表示される。なお、ＷＣＲＮＤ  Ｌ，Ｃ，Ｒの抽出値が偶然大当り図柄すなわちぞろめの図柄と一致した場合には、ＷＣＲＮＤ  Ｃに１を加算し、強制的にはずれ図柄にして表示する。」（段落【００３１】）
（サ）「図８は、本発明にかかるパチンコ遊技機に用いられる制御回路を示すブロック図である。この制御回路は、パチンコ遊技機の遊技状態を制御するための主基板５３と、可変表示装置４の可変表示部５で表示される画像を表示制御するための画像表示制御基板６５とを有する。」（段落【００３４】）
（シ）「主基板５３には、遊技機の遊技状態を制御するための制御中枢としてのＣＰＵ６２と、遊技機の遊技状態を制御するためのプログラムが記憶されているＲＯＭ６０と、遊技制御に関するデータが記憶されるＲＡＭ５９と、電気的に記憶データを消去して書替可能なＥＥＰＲＯＭ６１と、外部との信号の整合性をとるためのＩ／Ｏポート６３とが設けられている。」（段落【００３５】）
（ス）「ＣＰＵ６２は、ＲＯＭ６０に記憶されている制御用のプログラムを読出し、かつ、前述した始動玉検出器２３，特定玉検出器２４，入賞玉検出器２５，始動玉検出器２６，通過玉検出器２７等からの検出信号がＩ／Ｏポート６３を介してＣＰＵ６２に入力される。ＣＰＵ６２では、その入力されてきた各種検出信号とＲＯＭ６０から読出したプログラムとに基づいて、パチンコ遊技機の遊技状態を制御するための制御用信号をＩ／Ｏポート６３を介して、パチンコ遊技機の各種機器に出力する。・・」（段落【００３６】）
（セ）「また、ＣＰＵ６２は、定期的に現時点におけるパチンコ遊技機の遊技状態に関する情報をＲＡＭ５９に出力し、ＲＡＭ５９でその遊技状態に関する情報を逐次記憶する。」（段落【００３７】）
（ソ）「この主基板５３には、電源回路５４から所定の電力が供給される。また、電源回路５４は、コンデンサ５８にも電力を供給し、コンデンサ５８でその供給されてきた電力を蓄電する。」（段落【００３８】）
（タ）「この状態で、停電が発生して電源回路５４から電力が供給されなくなった場合には、コンデンサ５８から所定期間（たとえば１０〜６０分程度）ＲＡＭ５９に電力が供給され、ＲＡＭ５９の記憶データが消去されないように保持される。そして、ＲＡＭ５９の記憶データが外部状態表示装置５７に伝送されてその外部状態表示装置５７により表示される。ＲＡＭ５９には、前述したように、パチンコ遊技機の遊技状態に関する情報（遊技状態情報）が逐次記憶されるのであり、停電により電源回路５４からの供給電源がＯＦＦになれば、そのＯＦＦになった時点におけるパチンコ遊技機の遊技状態に関する情報が最終的な遊技状態に関する情報としてＲＡＭ５９に記憶された状態となっている。その最終的な遊技状態に関する情報すなわち停電時における遊技状態に関する情報がＲＡＭ５９から外部状態表示装置５７に伝送されてその外部状態表示装置５７により表示されることになる。この外部状態表示装置５７による表示は、コンデンサ５８に蓄電された電気が放電されてなくなりＲＡＭ５９の記憶データを保持できなくなるまで表示され続ける。そして、このコンデンサ５８からのバックアップの電力がＲＡＭ５９に供給されている期間中に、停電が復旧した場合には、ＣＰＵ６２は、その停電時における遊技状態に関する情報を記憶しているＲＡＭ５９からその情報を読出し、停電発生時におけるパチンコ遊技機の遊技状態から遊技を再スタートさせる。その結果、たとえば大当り制御中に停電が起こり、コンデンサ５８によるバックアップの電力が供給されている期間中に停電が復旧した場合には、その大当り制御の状態から遊技がスタートすることとなり、遊技者に遊技状態に関する補償を行なうことができ、遊技者が不測の不利益を被ることが防止できる。また、コンデンサ５８による電力供給期間を極力短くすることにより、たとえば閉店後に遊技機に対し予め遊技状態を遊技者に有利な状態（大当り状態や、可変表示装置の高確率制御状態）にセットして電源をＯＦＦにし、遊技場の開店時に電源をＯＮすることにより、開店時の遊技者に対しいきなり有利な状態で遊技を行わせる行為を極力防止できる。」（段落【００３９】）
（チ）「図１で説明したパチンコ遊技機は第１種（フィーバータイプ）の機種のパチンコ遊技機である。この第１種のパチンコ遊技機の場合には、前記ＲＡＭ５９に記憶する記憶内容として、たとえば、後述する特別図柄プロセスフラグ値，プロセスタイマ値，大当りフラグ，確変中フラグ，始動入賞記憶値，通過口１４を通過した通過玉記憶値，図３，図５に示した各種ランダムカウンタの値（現在値および抽出値），可変入賞球装置１０に入賞した入賞玉のカウント値，大当り制御中におけるその大当りが発生したときの可変表示装置４の表示結果，大当り制御中における可変入賞球装置１０の繰返し継続制御の実行回数，入賞玉の未処理玉数等である。大当りフラグとは、ＷＣＲＮＤ１の抽出値に基づいて大当りにすることが事前決定された場合にその決定内容を記憶しておくためのフラグである。・・」（段落【００４３】）
　　
　以上の（ア）乃至（チ）の記載事項及び図面の記載から、「引用例」には、以下の発明（以下、「引用発明」という。）が記載されているものと認められる。
　　　　　
＜引用発明＞
「パチンコ玉が始動口１２内に入賞すればその入賞玉が始動玉検出器２６により検出され、その検出出力に基づいて可変表示装置４の可変表示部５が一斉に可変開始して複数種類の識別情報が可変表示され、すべての可変表示部が停止した段階で予め定められた特定の識別情報の組合せが成立して表示結果が特定の表示態様になれば、特定遊技状態が発生して前記可変入賞球装置１０の開閉板が開成して打玉が入賞可能な遊技者にとって有利な第１の状態となる大当り状態となるパチンコ遊技機において、制御回路は、パチンコ遊技機の遊技状態を制御するための主基板５３と、可変表示装置４の可変表示部５で表示される画像を表示制御するための画像表示制御基板６５とを有し、主基板５３には、遊技機の遊技状態を制御するための制御中枢としてのＣＰＵ６２と、遊技機の遊技状態を制御するためのプログラムが記憶されているＲＯＭ６０と、遊技制御に関するデータが記憶されるＲＡＭ５９と、電気的に記憶データを消去して書替可能なＥＥＰＲＯＭ６１と、外部との信号の整合性をとるためのＩ／Ｏポート６３とが設けられ、ＣＰＵ６２は、定期的に現時点におけるパチンコ遊技機の遊技状態に関する情報をＲＡＭ５９に出力し、ＲＡＭ５９でその遊技状態に関する情報を逐次記憶し、主基板５３には、電源回路５４から所定の電力が供給され、コンデンサ５８にも電力を供給し、コンデンサ５８でその供給されてきた電力を蓄電し、停電が発生して電源回路５４から電力が供給されなくなった場合には、コンデンサ５８から所定期間ＲＡＭ５９に電力が供給され、ＲＡＭ５９の記憶データが消去されないように保持され、停電が復旧した場合には、ＣＰＵ６２は、その停電時における遊技状態に関する情報を記憶しているＲＡＭ５９からその情報を読出し、停電発生時におけるパチンコ遊技機の遊技状態から遊技を再スタートさせるパチンコ遊技機。」
　　
４．対比・判断
（１）本願補正発明と引用発明との対比
　本願補正発明と引用発明とを対比すると、引用発明の「パチンコ玉が始動口１２内に入賞すれば」が本願補正発明の「パチンコ球が始動口内に入球したり」に相当し、以下同様に、「可変表示装置４の可変表示部５が一斉に可変開始して複数種類の識別情報が可変表示され」が「図柄表示装置に図柄が変動表示される」に、「パチンコ遊技機」が「パチンコ機」に相当している。
　また、引用例の上記記載事項（ス）「ＣＰＵ６２は、ＲＯＭ６０に記憶されている制御用のプログラムを読出し、・・始動玉検出器２６，・・等からの検出信号がＩ／Ｏポート６３を介してＣＰＵ６２に入力される。ＣＰＵ６２では、その入力されてきた各種検出信号とＲＯＭ６０から読出したプログラムとに基づいて、パチンコ遊技機の遊技状態を制御するための制御用信号をＩ／Ｏポート６３を介して、パチンコ遊技機の各種機器に出力する。・・」、同じく記載事項（ケ）「まずＷＣＲＮＤ１の値を抽出し、その抽出した値が「７」のときには大当りを発生させることが事前決定される。そしてＷＣＲＮＤ  Ｌのデータの値を抽出して、その抽出した値に相当する図柄を左，中，右図柄に使用して、その左，中，右図柄が停止表示されるように各可変表示部を表示制御する。・・」、同じく記載事項（コ）「一方、ＷＣＲＮＤ１の抽出値が「７」以外のときにははずれが事前決定され、その場合には、ＷＣＲＮＤ  Ｌ，Ｃ，Ｒの各値を抽出し、その各抽出値を左，中，右図柄用の予定停止図柄として使用する。その結果、各予定停止図柄が各可変表示部に停止表示される。・・」なる記載によれば、引用発明は、大当りおよびはずれの発生を事前決定すること、すなわち大当りおよび外れの判定動作を行い、当然にこの判定動作を行う判定手段も備え、また、パチンコ分野において、大当りおよび外れの判定動作が、始動口に入球することに基づいて行われることは技術的常識（例えば、特開平９−１０３９９号公報、段落【００１５】参照）であるから、引用発明と本願補正発明は「パチンコ球が始動口内に入球することに基づいて大当りおよび外れの判定動作を行う判定手段」を有する点で共通する構成を備えており、この判定動作の結果に応じた図柄の設定手段を備えることも上記記載事項（ケ）、（コ）より明らかであるから、引用発明は本願補正発明と同様に「判定手段の判定結果に応じた図柄を設定する図柄設定手段」を備えているといえる。
　そして、引用例の上記記載事項（セ）「・・ＣＰＵ６２は、定期的に現時点におけるパチンコ遊技機の遊技状態に関する情報をＲＡＭ５９に出力し、ＲＡＭ５９でその遊技状態に関する情報を逐次記憶する。」、同じく記載事項（タ）「・・停電が発生して電源回路５４から電力が供給されなくなった場合には、コンデンサ５８から所定期間・・ＲＡＭ５９に電力が供給され、ＲＡＭ５９の記憶データが消去されないように保持される。・・」、同じく記載事項（チ）「・・ＲＡＭ５９に記憶する記憶内容として、・・各種ランダムカウンタの値（現在値および抽出値），・・大当り制御中におけるその大当りが発生したときの可変表示装置４の表示結果・・」なる記載から、引用発明は電源の遮断時に図柄設定手段の設定結果を保持（バックアップ）するＲＡＭ５９（記憶手段）を備えるから、引用発明は本願補正発明と同様に「電源の遮断時に図柄設定手段の設定結果をバックアップする記憶手段」を備えているといえる。
　また、引用例の上記記載事項（チ）「・・停電が復旧した場合には、ＣＰＵ６２は、その停電時における遊技状態に関する情報を記憶しているＲＡＭ５９からその情報を読出し、停電発生時におけるパチンコ遊技機の遊技状態から遊技を再スタートさせる。その結果、たとえば大当り制御中に停電が起こり、コンデンサ５８によるバックアップの電力が供給されている期間中に停電が復旧した場合には、その大当り制御の状態から遊技がスタートすることとなり、遊技者に遊技状態に関する補償を行なうことができ」なる記載から、大当たり制御中、すなわち図柄が変動表示されている状態で電源が遮断された場合、電源の復帰後に記憶手段の図柄が最終的に確定的に表示されるから、引用発明と本願補正発明とは「図柄表示装置に図柄が変動表示されている状態で電源が遮断されたときには、電源の復帰後に記憶手段の図柄が確定的に表示される」点で共通する構成を備えているといえる。
　　　
してみると、引用発明と本願補正発明とは
　　　
「パチンコ球が始動口内に入球することに基づいて図柄表示装置に図柄が変動表示される構成のものにおいて、
　パチンコ球が前記始動口内に入球することに基づいて大当りおよび外れの判定動作を行う判定手段と、
　前記判定手段の判定結果に応じた図柄を設定する図柄設定手段と、
　電源の遮断時に前記図柄設定手段の設定結果をバックアップする記憶手段とを備え、
　前記図柄表示装置に図柄が変動表示されている状態で電源が遮断されたときには、電源の復帰後に前記記憶手段の図柄が確定的に表示されるパチンコ機。」
　　　　　
　である点で一致し、以下の点で相違する。
　　　　　
＜相違点１＞
　本願補正発明は、パチンコ球が始動口内に入球、或いは始動ゲート内を通過することに基づいて図柄の変動表示と大当りおよび外れの判定動作を行うのに対し、引用発明は、パチンコ球が始動口内に入球するのみで始動口ゲートを備えていない点。
　　　
＜相違点２＞
　本願補正発明は、電源が遮断されたときには、電源の復帰時に図柄が変動表示を行うことなく電源の遮断直前とは演出が異なるメッセージ画面を経て図柄が確定的に表示されるのに対し、引用発明は、電源が遮断されたときには、どのように表示を行うのか明らかでなく、電源の復帰時に図柄が停電発生時におけるパチンコ遊技機の遊技状態から遊技を再スタートさせてから図柄が確定的に表示される点。
　　　　
５．相違点についての検討
＜相違点１について＞
　パチンコ分野において、パチンコ球が始動口内に入球、或いは始動ゲート内を通過することに基づいて図柄の変動表示と大当り及び外れの判定動作を行わせることは、従来周知の技術である。（例えば、特開平１１−２２６２０９号公報、段落【００１５】、特開平９−１０３９９号公報、段落【００１５】参照）
　そうすると、引用発明と上記周知技術は、パチンコ球が始動口内の入球に基づき図柄の変動表示と大当りおよび外れの判定動作を行わせる点で技術が共通するから、引用発明に上記周知技術を適用し、パチンコ球が始動口内に入球、或いは始動ゲート内を通過することに基づいて図柄の変動表示と大当りおよび外れの判定動作を行わせること、すなわち本願補正発明の相違点１を構成することは、当業者が容易に想到し得たことである。
　　　　
＜相違点２について＞
　電源が遮断されたときには、電源の復帰時に図柄が変動表示を行うことなく電源の遮断直前とは演出が異なるメッセージ画面を経る点に関して、パチンコ分野における各種表示を行う表示部で、停電状態になると「これまでの情報は記憶しました復旧するまでしばらくお待ち下さい。」という旨のメッセージを表示させ、停電が復旧するまでこの表示を行う点が、特開平１１−１７５８２２号公報（段落【０３６５】、【０３６６】参照）に、また、図柄が変動表示中に変動表示の指令が正常に伝達できなくなると変動表示を行わず、異なる表示を復旧まで行わせる点が、特開２０００−１４０３７５号公報（段落【０１２１】の「しばらくお待ちください」参照）や特開平６−２１８１１７号公報（段落【０１６４】参照）に記載されており、上記の停電及び変動表示の指令が正常に伝達できないことは、いずれも表示部への障害となるから、パチンコ分野において障害で正常に表示が行えないときに、通常の表示とは異なるメッセージを画面表示させて通常の状態でないことを知らせることは、従来周知の技術である。
　また、電源の復帰時において、変動表示を行うことなく図柄を確定的に表示させる点に関して検討する。
　本願の出願日前に頒布された特開２０００−１４０３７５号公報（段落【０１１５】、【０１２１】、【０１２２】参照）に、変動表示中に図柄表示に異常が生じた場合、図柄を一旦消して異常状態発生のメッセージを表示し、図柄の停止指令があると停止表示の図柄で表示させる点が記載され、同じく特開２０００−１４０２６２号公報（段落【００８１】、【００８２】、【００８３】、【００８４】参照）に、図柄変動遊技中に正常に図柄の変動表示が行えないと、図柄を所定の組み合わせで強制的に停止表示させる点が記載されており、これらより、障害で図柄が正常に変動表示できない場合、障害の下で意図しない表示がなされるおそれのある図柄表示を避けて、所期の最終の停止図柄を確定的に表示させることは、本願出願前に周知の技術でる。
　そして、引用発明と上記周知技術は、共に変動表示が停電や指令の異常等の障害の後に最終的に当該遊技の図柄を確定的に表示させるものであり、引用発明においても、障害の下で意図しない表示のおそれのある図柄表示を避けて、所期の最終の停止図柄を確定的に表示させることが遊技者に違和感を与えないという要請を満たすべきことは当業者には明らかであるから、引用発明の電源の復帰時に再スタートさせて図柄を確定的に表示させる技術に代えて、障害の発生時以降に変動表示を行うことなく所期の最終の図柄を確定的に表示させるという周知技術を適用し、電源の復帰時に変動表示を行うことなく所期の図柄を確定的に表示させることは、当業者であれば適宜になし得る設計事項といえる。
　以上のとおりであるから、引用発明に上記各周知技を適用し、電源が遮断されたときに、図柄が変動表示を行うことなくメッセージ画面を表示させること、及び復帰時にメッセージ画面を経て図柄を確定的に表示させること、すなわち本願補正発明の相違点２を構成することは、当業者が容易に想到し得たことである。
　　
６．作用効果・判断
  そして、本願補正発明における作用効果は、引用発明及び周知技術に基づいて当業者が当然予測できるものである。
　したがって、本願補正発明は、引用発明及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において読み替えて準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　
【３】本願発明について
１．本願発明
　平成１４年９月１２日付けの手続補正は上記のとおり却下されたので、前記【１】本願の手続きの経緯に従い、本願発明は平成１３年１２月１４日付けの手続補正書の明細書及び図面の記載からみて、本願の特許請求の範囲の請求項１に特定される以下のとおりのものである。
「【請求項１】　パチンコ球が始動口内に入球したり、始動ゲート内を通過することに基づいて図柄表示装置に図柄が変動表示される構成のものにおいて、
　パチンコ球が前記始動口内に入球したり、前記始動ゲート内を通過することに基づいて大当りおよび外れの判定動作を行う判定手段と、
　前記判定手段の判定結果に応じた図柄を設定する図柄設定手段と、
　電源の遮断時に前記図柄設定手段の設定結果をバックアップする記憶手段とを備え、
　前記図柄表示装置に図柄が変動表示されている状態で電源が遮断されたときには、電源の復帰時にメッセージ画面を経て前記記憶手段の図柄が確定的に表示されることを特徴とするパチンコ機。」
　　　
２．引用例に記載された発明
　原査定の拒絶の理由に引用された引用例及びその記載事項は、前記【２】３．に記載したとおりである。
　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明及び周知技術に基づいて、当業者が容易に発明をすることができたものであるから、本願発明も同様の理由により、当業者が容易に発明をすることができたものである。
　　　　
４．むすび
　以上のとおり、本願発明は、引用発明及び周知技術に基づいて、当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。